(57)【要約】【課題】線形送信機用増幅器の電源レベルを送信信号レベルに応じて切り替える送信機において、増幅器に入力される送信信号と電圧制御信号のタイミングにずれがあっても、歪の少ない出力信号が高い増幅効率で出力されるように電圧制御信号を修正すること。【解決手段】送信信号を電源電圧制御信号に応じて増幅する線形送信機用の増幅手段と、送信信号のレベルを示す電源信号を導出する手段と、電源信号に基づいて電源電圧制御信号を出力する制御手段とを有する装置が使用される。制御手段は、ある時点を含む時間範囲に属する一連の複数の電源信号の値を記憶する手段と、所定数個の電源信号の値の内の最大値を、ある時点における電源電圧制御信号として出力する手段とを有する。【選択図】図４
2007174374.tif 000002
【特許請求の範囲】
【請求項１】
送信信号を電源電圧制御信号に応じて増幅する線形送信機用の増幅手段と、
送信信号のレベルを示す電源信号を導出する手段と、
前記電源信号に基づいて電源電圧制御信号を出力する制御手段と、
を有し、前記制御手段は、
ある時点を含む時間範囲に属する一連の複数の電源信号の値を記憶する手段と、
所定数個の電源信号の値の内の最大値を、前記ある時点における電源電圧制御信号として出力する手段と、
を有することを特徴とする装置。
【請求項２】
前記増幅手段からのフィードバック信号に応じて前記時間範囲のサイズを調整する補償範囲調整手段を更に有する
ことを特徴とする請求項１記載の装置。
【請求項３】
前記補償範囲調整手段が、前記フィードバック信号の信号品質を測定する手段を有する
ことを特徴とする請求項４記載の装置。
【請求項４】
前記補償範囲調整手段が、前記フィードバック信号の所望帯域以外の不要波成分を測定する手段を有する
ことを特徴とする請求項５記載の装置。
【請求項５】
送信信号を伝送するための主信号経路と、電源電圧制御信号を生成及び伝送するための制御信号経路との間の遅延量を指示に応じて変える遅延手段を更に有する
ことを特徴とする請求項４記載の装置。
【請求項６】
線形送信機から送信する送信信号のレベルを示す電源信号を導出するステップと、
前記電源信号に基づいて電源電圧制御信号を出力するステップと、
前記送信信号を前記電源電圧制御信号に応じて増幅するステップと、
を有し、前記電源電圧制御信号を出力するステップは、
ある時点を含む時間範囲に属する一連の複数の電源信号の値を記憶するステップと、
所定数個の電源信号の値の内の最大値を、前記ある時点における電源電圧制御信号として出力するステップと、
を有することを特徴とする方法。
【発明の詳細な説明】
【技術分野】
【０００１】
本発明は、高周波帯域で使用される増幅器の技術分野に関し、特に増幅器の電圧制御信号を修正する装置及び方法に関連する。
【背景技術】
【０００２】
線形送信装置では送信される信号は線形に増幅されて送信される。大小さまざまなレベルの信号を線形に増幅するには、大きなレベルの信号に合わせて増幅器に電力を供給しなければならない。しかしながら常に大きな電源電圧を増幅器に印加することにすると、小信号を増幅する場合に増幅効率が著しく低下してしまう問題がある。これは簡易な携帯通信装置や小型のバッテリを利用する装置で特に不利である。このような問題に対処するため、増幅しようとする信号レベルに応じて増幅器に印加する電源電圧を適宜切り替える技術がある（例えば、特許文献１参照。）。
【０００３】
図１はそのような増幅制御の様子を説明するための図を示す。増幅器（アンプ）は送信信号を入力信号とし、電圧制御信号に応じてそれを増幅し、出力信号を出力する。電圧制御信号は、送信信号の振幅レベルに応じて変化する信号であり、エンベロープ検出器から導出される。振幅レベルを表す信号は包絡線信号やエンベロープ信号等と言及されてもよい。
【０００４】
図２は増幅器の模式的な入出力特性を示す図である。横軸は入力信号の電圧レベルを表し、縦軸は出力信号の電圧レベルを表す。図２には３種類のグラフが描かれている。１つは入力電圧がa1以下ならば線形な入出力特性を示すがそれ以外では入出力特性は非線形になってしまう様子を示す。他の２つも同様に、入力電圧がa2（a3）以下ならば線形な入出力特性を示すがそれ以外では入出力特性は非線形になってしまう様子を示す。
【０００５】
図１のエンベロープ検出器は、送信信号のレベルを測定し、それが小さい値であったならば、増幅器の電圧制御信号vをv1に設定する(v=v1)。これにより増幅器の入出力特性は図２の（１）のグラフのようになり、レベルがv1以下の小信号が線形に増幅される。逆に、送信信号のレベルが大きかったならば、エンベロープ検出器は増幅器の電圧制御信号vをv3に設定する(v=v3)。これにより増幅器の入出力特性は図２の（３）のグラフのようになり、大きなレベルの信号でも線形に増幅される。このように増幅器の電源電圧を入力信号に応じて適宜変更することで、線形に増幅された出力信号を高効率で得ることができる。実際にはv1,v2,v3だけでなく多数の電圧が連続的に又は段階的に増幅器に印加される。
【特許文献１】特開平３−１７４８１０号公報
【発明の開示】
【発明が解決しようとする課題】
【０００６】
上記の手法は入力信号のレベルに応じて電源電圧を適宜変更するので、入力信号及び電圧制御信号のタイミングが適切に合っている必要がある。一方、素子の材料特性、製造プロセス、製造環境等に起因して、素子特性（特に、アナログ素子の特性）にある程度のばらつきが生じる。その結果、送信信号（入力信号）及び電圧制御信号の位相が若干ずれてしまうことが懸念される。
【０００７】
図３は増幅器の入力信号、出力信号及び電圧制御信号を示す。横軸は時間を表し、縦軸は振幅レベルを表す。図示の例では本来位相が合っているべき入力信号及び電圧制御信号が時間的にτで示される量だけずれており、その結果出力信号が本来の波形とは異なる波形になっている様子が示されている。例えばT1で示される期間では、入力信号より大きな電圧制御信号が供給されている。この場合、入力信号自体は線形に増幅されるかもしれないが、必要な電源電圧より大きな電圧が増幅器に印加されるので、増幅効率が下がってしまう。T2で示される期間では、増幅器で線形に増幅できる最大電圧を上回るレベルの信号が増幅器に入力される。従って増幅器の出力信号は入力信号を線形に増幅したものから逸脱し、非線形に増幅されたものになってしまう。このように入力信号と電圧制御信号とのタイミングが適切に符合していなかったならば、信号の劣化や不要波の輻射等が起こってしまう。このようなタイミングずれの問題は個々の製品毎に発生するので、その補償も個々に行う必要がある。しかしながらそのような補償や調整を自動的に効率的に行う手法は未だ見出されていない一方、それを手動で行うには手間がかかり、多くの製品を調整する用途には不向きである。
【０００８】
本発明は、上記の問題に鑑みてなされたものであり、その課題は、線形送信機用増幅器の電源レベルを送信信号レベルに応じて切り替える送信機で使用され、歪の少ない出力信号が高い増幅効率で出力されるように電圧制御信号を修正する装置及び方法を提供することである。
【課題を解決するための手段】
【０００９】
本発明では、送信信号を電源電圧制御信号に応じて増幅する線形送信機用の増幅手段と、送信信号のレベルを示す電源信号を導出する手段と、前記電源信号に基づいて電源電圧制御信号を出力する制御手段とを有する装置が使用される。制御手段は、ある時点を含む時間範囲に属する一連の複数の電源信号の値を記憶する手段と、所定数個の電源信号の値の内の最大値を、前記ある時点における電源電圧制御信号として出力する手段とを有する。
【発明の効果】
【００１０】
本発明によれば、線形送信機用増幅器の電源レベルを送信信号レベルに応じて切り替える送信機において、増幅器に入力される送信信号と電圧制御信号のタイミングにずれがあっても歪の少ない出力信号が高い増幅効率で出力されるように電源電圧制御信号が作成される。
【発明を実施するための最良の形態】
【００１１】
本発明の一形態では、線形送信機から送信する送信信号のレベルを示す電源信号が導出され、電源信号に基づいて電源電圧制御信号が出力され、送信信号が前記電源電圧制御信号に応じて増幅される。ある時点を含む時間範囲に属する一連の複数の電源信号の値を記憶し、所定数個の電源信号の値の内の最大値を、前記ある時点における電源電圧制御信号として出力することで電源電圧制御信号が得られる。これにより、送信信号と電源信号とが多少ずれたとしても、電源電圧制御信号が送信信号以上であることが補償され、不要輻射や信号劣化が効果的に抑制される。
【００１２】
時間範囲は、ある時点を中心とする奇数個のサンプル時点を含むように設定されてもよい。これにより、その時点を中心に前後いずれにタイミングがずれても不要輻射等を抑制することができる。
【００１３】
前記電源信号のレートは前記送信信号のレートより遅くてもよい。
【００１４】
前記増幅手段からのフィードバック信号に応じて前記時間範囲のサイズが適切に調整されてもよい。これにより、過剰に増幅効率を落とさずにタイミングずれに効率的に対処することができる。
【００１５】
増幅手段からの前記フィードバック信号の信号品質又は所望帯域以外の不要波成分を測定することで、時間範囲の当否が判定されてもよい。
【００１６】
増幅手段からのフィードバック信号に応じて時間範囲のサイズを調整する手段は、送信装置本体から取り外し可能に用意されてもよい。これにより送信装置本体の簡略化を図ることができる。
【００１７】
送信信号を伝送するための主信号経路と、電源電圧制御信号を生成及び伝送するための制御信号経路との間の遅延量を指示に応じて変える遅延手段が用意されてもよい。
【００１８】
本発明の一形態では、送信信号を伝送する主信号経路と、電源電圧制御信号を生成及び伝送するための制御信号経路との間の遅延量が指示に応じて変更され、増幅手段からのフィードバック信号の信号品質が測定される。増幅手段からのフィードバック信号の信号品質の変化を引き起こす遅延量に基づいて前記時間範囲が決定され、以後前記遅延量がゼロに設定される。これにより時間範囲を簡易且つ効率的に設定することができる。
【００１９】
前記送信信号として、波形が既知のテスト信号が使用されてもよい。これにより遅延量の測定精度を向上させることができる。
【実施例１】
【００２０】
図４は本発明の一実施例による線形送信機の部分ブロック図を示す。図４には増幅器４１と、エンベロープ検出器４２と、電圧制御信号調整部４３とが描かれている。電圧制御信号調整部４３は、シフトレジスタ４３１と、最大値選択部４３２とを有する。図４では説明の簡明化を図るため、送信機の全ての要素ではなく、本発明に特に関係のある要素が強調されて描かれていることに留意を要する。
【００２１】
増幅器４１は電圧制御信号vにより示される電源電圧の下で送信信号を増幅し、出力する電力増幅器である。
【００２２】
エンベロープ検出器４２は、そこに入力された送信信号の振幅レベルを算出又は測定する。信号が直交変調されていたならば、同相成分及び直交成分の二乗和の平方根を求めることで、信号の大きさを算出する。振幅レベルを表す信号は包絡線信号とも呼ばれる。エンベロープ検出部４２はそこに入力された信号の振幅レベルに応じて、その振幅レベルの信号が増幅器４１に入力された場合に、増幅器４１にとって最適な電源電圧が何であるかを導出し、それを示す信号を出力する。本説明において、この信号は「電源信号」として言及される。電源信号は送信信号と同じレートで信号レベルをそのまま表現してもよいし、送信信号よりレートの遅い信号でもよい。
【００２３】
電圧制御信号調整部４３は電源信号を電圧制御信号に変換する。電源信号Txは図２の従来例では電圧制御信号vに相当するが、本発明ではエンベロープ検出部４２からの出力信号（電源信号）を更に修正することで電圧制御信号vが作成される。シフトレジスタ４３１は電源信号の一連の複数のデータサンプルを格納する。本実施例では３つのサンプル時点ti-1，ti，ti+1の各々に対するデータサンプルTx(ti-1)，Tx(ti)，Tx(ti+1)がシフトレジスタ４３１に格納される。格納されるサンプル数は３に限定されず、他の様々な値が採用されてもよい。説明の簡明化を図るため、シフトレジスタ４３１が使用されているが、このことは本発明に必須ではなく、一連のデータサンプルを最大値選択部４３２に与えることが可能な任意の記憶素子が使用されてもよい。最大値選択部４３２は３つのデータサンプルの値を比較し、その中で最大値を選択する。この最大値は、サンプル時点tiにおける電圧制御信号vの値として出力される。
【００２４】
v(ti)＝MAX{  Tx(ti-1)，Tx(ti)，Tx(ti+1)}
ここで、MAX{}は引数の中で最大値を選択する関数を表す。
【００２５】
図５は本発明の一実施例による電圧制御信号調整法のフローチャートを示す。フローは電源信号を電圧制御信号に変換する手順を示す。フローはステップＳ１から始まり、ステップＳ２に進む。ステップＳ２では３つのサンプル時点ti-1，ti，ti+1の各々に対するデータサンプルTx(ti-1)，Tx(ti)，Tx(ti+1)が用意される。
【００２６】
ステップＳ３では３つのデータサンプルの値が比較され、最大値が選択される。
【００２７】
ステップＳ４では、選択された最大値が、サンプル時点tiにおける電圧制御信号vの値として出力される。
【００２８】
例えば、電源信号Txが図６Ａに示されるように得られたとする。ステップＳ２では３つのサンプル時点t-1，t0，t1の各々に対するデータサンプルTx(t-1)，Tx(t0)，Tx(t1)が用意される。ステップＳ３ではこれらの内の最大値が選択される。図示の例では最大値としてTx(t-1)が選択される。ステップＳ４では選択された最大値がサンプル時点t0における電圧制御信号として出力される。すなわち、
v(t0)=Tx(t-1)
である。
【００２９】
図５のステップＳ５ではサンプリング時点を示すパラメータｉの値がインクリメントされ、ステップＳ６でパラメータｉが最大値を超えていなかったならば、フローはステップＳ２に戻り、同様な処理が反復される。例えば、ｉ＝０に続くｉ＝１の場合には、図６Ｂに示されるようにステップＳ２で３つのサンプル時点t0，t1，t2の各々に対するデータサンプルTx(t0)，Tx(t1)，Tx(t2)が用意される。ステップＳ３ではこれらの内の最大値が選択される。図示の例では最大値としてTx(t1)が選択される。ステップＳ４では選択された最大値がサンプル時点t1における電圧制御信号として出力される。すなわち、
v(t1)=Tx(t1)
である。以下同様な手順が反復され、パラメータｉが最大値を超えると、それは電源信号が全て電圧制御信号として変換されたことを意味し、フローは終了する。
【００３０】
図６Ｃは図５のフローを実行することで得られた電圧制御信号と電源信号（従来の電圧制御信号）との関係を示す。また、タイミングが電源信号から１サンプルだけずれた送信信号も破線で描かれている。送信信号の波形と電源信号の波形はタイミングがずれている点を除いて同一波形である。従って、仮にそれらのタイミングがそろっていれば、電源信号の示す電源電圧の下で送信信号を増幅することで、増幅効率を高めながら信号を線形に増幅することができるであろう。しかしながら、図示されているように電源信号と送信信号とが互にずれていた場合には、不要波の放射や信号劣化のような説明済みの不都合が生じる。例えばt0の時点では、電源信号は送信信号のレベルよりも小さな電圧を示し、それが増幅器に供給されると、送信信号は非線形に増幅されてしまう。これに対して本実施例による電圧制御信号は、t0の時点でも送信信号のレベルを下回らないので、送信信号を線形に増幅することができる。
【００３１】
本実施例では、送信信号と電源信号のタイミングのずれが前後１サンプルの範疇ならば、電圧制御信号は送信信号以下に決して小さくならないように形成される。言い換えれば、送信信号と電源信号のタイミングのずれが前後１サンプルの範疇ならば、電圧制御信号は送信信号以上に常に大きくなるように形成される。このような電圧制御信号が使用されると、ある時点での送信信号の増幅に最低限必要な電圧よりも大きな電圧が増幅器に供給されるかもしれない（例えば、t0の時点）。しかしながら、その程度のことに起因する増幅効率の悪化は多くの場合それほど大きくないことが予想される。本実施例では若干の増幅効率を犠牲にして、不要波輻射や非線形歪を確実に減らすことができる。
【００３２】
送信信号と電源信号のタイミングずれを補償できる範囲が前後１サンプルに限定されるのは、ある時点の前後１サンプルの３つのデータサンプルがシフトレジスタに格納されたことに起因する。より多くのタイミングずれに対処するには、より多くのデータサンプルが格納され、それらの中から最大値が選択されればよい。従って３個のデータサンプルを格納して前後1サンプルのタイミングずれを補償することは単なる一例であり、適切な如何なるデータサンプル数が使用されてもよい。また、ある時点を中心に前後同数のサンプルが使用されることも必須ではない。例えば送信信号と電源信号のずれる方向が既知であれば、ある時点とそれ以後の電源信号のサンプルだけから電圧制御信号が導出されてもよいし、ある時点とそれ以前の電源信号のサンプルだけから電圧制御信号が導出されてもよい。更には、ある時点以前のサンプル数と以後のサンプル数は異なってもよい。例えば、時点t0の電圧制御信号を求めるために、時点t-1，t1，t2，t3の電源信号の値が使用されてもよい。但し、最大値を選択するために用意されるデータサンプルは時間的に連続したサンプルであることを要する。
【００３３】
図７は前後４サンプルの範囲（合計９サンプル）にわたってデータサンプルの格納及び最大値の選択を行うことで作成された電圧制御信号と送信信号との関係を示す。横軸はサンプル時点を表し、縦軸は振幅レベルを表す。即ちこの例ではシフトレジスタに一連の９個のデータサンプルが逐次格納される。このようにすると、送信信号と電源信号とのタイミングのずれが前後４サンプルの範囲内であれば、不要波輻射や非線形歪の発生を抑制することができる。
【００３４】
図８は送信信号より遅いレートを有する電源信号に基づいて、電圧制御信号が導出された場合の例を示す。このような電源信号は例えば図４のエンベロープ検出信号４２で作成することができる。図示の例では、電源信号のレートは送信信号の１／４である。このように低速の電源信号を複数サンプル分格納し、最大値を選択することで電圧制御信号の内容が決定されてもよい。この場合にも、送信信号と電源信号のタイミングのずれが前後４サンプルの範疇ならば、電圧制御信号は送信信号以下に決して小さくならないように形成され、不要波放射や信号劣化を抑制することができる。
【実施例２】
【００３５】
本発明の第２実施例では、シフトレジスタ４３１に格納するデータサンプル数が適応的に変更される。シフトレジスタの段数は本発明により補償することが可能な送信信号及び電源信号の位相差を表わし、時間範囲又は監視範囲とも言及される。なお、上述したようにシフトレジスタが使用されることは本発明に必須ではないことに留意を要する。
【００３６】
図９は本発明の一実施例による線形送信機の部分ブロック図を示す。図４で説明済みの要素には同一の参照番号が付され、重複的な説明は省略される。図９には説明済みの要素に加えて、信号解析部４４が描かれている。信号解析部４４は増幅器４１からの出力信号（フィードバック信号）を分析する。分析は例えば所望帯域以外の不要波をスペクトルアナライザ等で測定することによって行われてもよい。或いは分析は送信信号とフィードバック信号とを比較し、信号の劣化具合を測定することによって行われてもよい。即ち、分析はスペクトルアナライザのような測定装置を用いて行われてもよいし、何らかのディジタル信号プロセッサを用いて行われてもよい。信号解析部４４は、線形送信装置の一部に組み込まれていてもよいし、或いは何らかのコネクタを通じて線形送信装置本体と着脱可能であってもよい。後者の場合は線形送信装置を簡易な構成にする観点から好ましい。
【００３７】
図１０はシフトレジスタ４３１に格納するデータサンプル数を適切に調整する方法例のフローチャートを示す。フローはステップＳ１から始まり、ステップＳ２に進む。ステップＳ２ではシフトレジスタ４３１の段数が何らかの値に設定される。初期値は１でもよい段数が１の場合は、電源信号と電圧制御信号は等しくなる。
【００３８】
ステップＳ３ではエンベロープ検出部４２の出力信号である電源信号Txから、説明済みの手法を用いて電圧制御信号vが作成される。
【００３９】
ステップＳ４では電圧制御信号に従って送信信号が増幅器４１で増幅される。
【００４０】
ステップＳ５では増幅後の出力信号が信号解析部４４で解析され、出力信号が歪んでいるか否かが判定される。歪んでいるか否かは不要波の有無や信号品質の劣化その他の基準を用いて判定されてもよい。出力信号が歪んでいればフローはステップＳ２に戻り、シフトレジスタの段数が別の値に設定される。段数の値は例えば１，３，５，．．．のように奇数になるように増やされてもよいし、１，２，３，．．．のように１つずつ増やされてもよい。そして、説明済みの処理が反復される。ステップＳ５で出力信号が歪んでいないことが確認された場合は、シフトレジスタに適切な段数が設定されていることを意味し、本フローは終了する。
【００４１】
説明の便宜上図１０ではシフトレジスタの段数を１から増やしてゆくように説明されたが、大きな値から徐々に減らされてもよい。この場合、ステップＳ５の判定ステップにて、出力信号が歪み始めた時点でフローは終了することになる。
【実施例３】
【００４２】
第２実施例ではシフトレジスタの段数を徐々に増やす或いは減らしながら最適な段数に到達することができた。本発明の第３実施例では主信号経路及び制御信号経路の経路遅延が測定され、その遅延が補償されるように電圧制御信号調整部で格納されるデータサンプル数が決定される。
【００４３】
図１１は本実施例による線形送信機の部分ブロック図を示す。図４及び図９で説明済みの要素には同一の参照番号が付され、重複的な説明は省略される。図１１には説明済みの要素に加えて、可変遅延補正部４５が描かれている。可変遅延補正部４５は、ノードＮから増幅器４１に至る主信号経路と、ノードＮからエンベロープ検出部４２及び電圧制御信号調整部４３を経て増幅器４１に至る制御信号経路との間に、信号解析部４４からの指示に従って遅延を導入する。図示の例では制御信号経路側を遅らせるように可変遅延補正部４５が描かれているが、このことは本発明に必須ではなく、可変遅延補正部４５は主信号経路側に設けられてもよい。相対的な遅延が経路間に導入されればよいからである。但し、遅延を速やかに調整する能力を高める等の観点からは可変遅延補正部４５が双方の経路に設けられてもよい。
【００４４】
図１２はシフトレジスタ４３１に格納するデータサンプル数から電圧制御信号のタイミングを調整する方法例のフローチャートを示す。フローはステップＳ１から始まり、ステップＳ２に進む。ステップＳ２では可変遅延補正部の遅延量がゼロに設定される。加えてシフトレジスタ４３１の段数が０に設定される。これにより電源信号と電圧制御信号は等しくなる。
【００４５】
ステップＳ３では、シフトレジスタ４３１の段数が＋１される。
【００４６】
ステップＳ４では、増幅器４１の出力信号が分析され、信号品質が劣化しているか否かが判定される。もし信号品質の劣化が確認されれば、フローはステップＳ３に戻り、シフトレジスタの段数が＋１される。ステップＳ３及びＳ４は良好な信号品質が得られるまで反復される。経路遅延を測定する際に使用される送信信号としては如何なる信号が採用されてもよい。しかしながら測定精度を向上させる観点からは、特殊な波形を有するテスト信号が使用されることが好ましい。例えばテスト信号としてインパルス信号及びツートーン信号等を利用することができるが、テスト信号はこれに限定されず、様々な波形の信号が利用されてもよい。
【００４７】
ステップＳ５では、シフトレジスタ４３１の段数により可変遅延量４５が設定される。これはステップS３及びS４で求めたシフトレジスタ４３１の段数自身が電圧制御信号のタイミングずれに相当するからである。
【００４８】
ステップＳ６ではシフトレジスタ４３１の段数が１に戻され、フローは終了する。
【００４９】
以下、本発明により教示される手段を例示的に列挙する。
【００５０】
（付記１）
送信信号を電源電圧制御信号に応じて増幅する線形送信機用の増幅手段と、
送信信号のレベルを示す電源信号を導出する手段と、
前記電源信号に基づいて電源電圧制御信号を出力する制御手段と、
を有し、前記制御手段は、
ある時点を含む時間範囲に属する一連の複数の電源信号の値を記憶する手段と、
所定数個の電源信号の値の内の最大値を、前記ある時点における電源電圧制御信号として出力する手段と、
を有することを特徴とする装置。
【００５１】
（付記２）
前記電源信号のレートが前記送信信号のレートより遅い
ことを特徴とする付記１記載の装置。
【００５２】
（付記３）
前記増幅手段からのフィードバック信号に応じて前記時間範囲のサイズを調整する補償範囲調整手段を更に有する
ことを特徴とする付記１記載の装置。
【００５３】
（付記４）
前記補償範囲調整手段が、前記フィードバック信号の信号品質を測定する手段を有する
ことを特徴とする付記４記載の装置。
【００５４】
（付記５）
前記補償範囲調整手段が、前記フィードバック信号の所望帯域以外の不要波成分を測定する手段を有する
ことを特徴とする付記５記載の装置。
【００５５】
（付記６）
前記補償範囲調整手段が、当該装置から取り外し可能である
ことを特徴とする付記４記載の装置。
【００５６】
（付記７）
送信信号を伝送するための主信号経路と、電源電圧制御信号を生成及び伝送するための制御信号経路との間の遅延量を指示に応じて変える遅延手段を更に有する
ことを特徴とする付記４記載の装置。
【００５７】
（付記８）
付記1記載の装置を有する
ことを特徴とする移動通信装置。
【００５８】
（付記９）
線形送信機から送信する送信信号のレベルを示す電源信号を導出するステップと、
前記電源信号に基づいて電源電圧制御信号を出力するステップと、
前記送信信号を前記電源電圧制御信号に応じて増幅するステップと、
を有し、前記電源電圧制御信号を出力するステップは、
ある時点を含む時間範囲に属する一連の複数の電源信号の値を記憶するステップと、
所定数個の電源信号の値の内の最大値を、前記ある時点における電源電圧制御信号として出力するステップと、
を有することを特徴とする方法。
【００５９】
（付記１０）
送信信号を伝送する主信号経路と、前記時間範囲を変えるステップと、
前記増幅手段からのフィードバック信号の信号品質を測定するステップと、
を有し、前記増幅手段からのフィードバック信号の信号品質の変化を引き起こす前記時間範囲に基づいて電源電圧制御信号の遅延量を決定し、以後前記時間範囲をゼロに設定する
ことを特徴とする付記10記載の方法。
【００６０】
（付記１１）
前記送信信号として、波形が既知のテスト信号が使用される
ことを特徴とする付記１０記載の方法。
【図面の簡単な説明】
【００６１】
【図１】従来の増幅制御方法を説明するための図を示す。
【図２】増幅器の模式的な入出力特性を示す図である。
【図３】入力信号、出力信号及び制御信号を示す図である。
【図４】本発明の一実施例による線形送信機の部分ブロック図を示す。
【図５】本発明の一実施例による電圧制御信号調整法のフローチャートを示す。
【図６Ａ】t=t0での電圧制御信号の値を求める方法を示す図である。
【図６Ｂ】t=t1での電圧制御信号の値を求める方法を示す図である。
【図６Ｃ】電圧制御信号並びにタイミングのずれた電源信号及び送信信号を示す図である。
【図７】電圧制御信号及び送信信号を示す図である。
【図８】電圧制御信号、送信信号及び送信信号より低速の電源信号を示す図である。
【図９】本発明の一実施例による線形送信機の部分ブロック図を示す。
【図１０】シフトレジスタに格納するデータサンプル数を適切に調整する方法例のフローチャートを示す。
【図１１】本発明の一実施例による線形送信機の部分ブロック図を示す。
【図１２】シフトレジスタに格納するデータサンプル数の情報から、電圧制御信号のタイミングずれを信号遅延により補正する方法例のフローチャートを示す。
【符号の説明】
【００６２】
４１  増幅器
４２  エンベロープ検出器
４３  電圧制御信号調整部
４４  信号解析部
４５  可変遅延補正部
４３１  シフトレジスタ
４３２  最大値選択部
【図１】
2007174374.tif 000003
【図２】
2007174374.tif 000004
【図３】
2007174374.tif 000005
【図４】
2007174374.tif 000006
【図５】
2007174374.tif 000007
【図６Ａ】
2007174374.tif 000008
【図６Ｂ】
2007174374.tif 000009
【図６Ｃ】
2007174374.tif 000010
【図７】
2007174374.tif 000011
【図８】
2007174374.tif 000012
【図９】
2007174374.tif 000013
【図１０】
2007174374.tif 000014
【図１１】
2007174374.tif 000015
【図１２】
2007174374.tif 000016